(57)【要約】【課題】  カードや、通帳等の取引用媒体を用いて入出金等の取引を行う現金自動取引装置において、利用者が偽券の入金を繰り返し試みる行為を、効果的に抑制する。【解決手段】  ＡＴＭ２００は、キャッシュカードが挿入され、入金を伴う取引時に、投入された紙幣の真偽鑑別を行い、偽券が検出されたときに、偽券の特徴データをホストコンピュータ３００に送信する。ホストコンピュータ３００は、口座情報ごと、偽券の特徴データごとに、偽券の投入回数を累算し、所定値以上となったときに、ＡＴＭ２００にカード回収指示を送信する。ＡＴＭ２００は、ホストコンピュータ３００から受信したカード回収指示を受信すると、キャッシュカードを回収する。【選択図】  図１
2005234618.tif 000002
【特許請求の範囲】
【請求項１】
現金自動取引装置であって、
金融機関での取引時に挿入される取引用媒体を取り扱う媒体取扱機構と、
紙幣を取り扱う紙幣取扱機構と、
該紙幣取扱機構に前記紙幣が投入される取引時に、該投入された紙幣の真偽鑑別を行う鑑別部と、
該鑑別部によって、前記紙幣に偽券が含まれると鑑別されたときに、該偽券を含む紙幣が、前記紙幣取扱機構に繰り返し投入された投入回数を数える計数部と、
該投入回数が所定値以上になったときに、前記取引用媒体を返却しないように、前記媒体取扱機構を制御する制御部と、
を備える現金自動取引装置。
【請求項２】
請求項１記載の現金自動取引装置であって、
前記制御部は、前記投入回数が前記所定値以上になったときに、さらに、前記偽券を返却しないように、前記紙幣取扱機構を制御する、
現金自動取引装置。
【請求項３】
現金自動取引装置であって、
金融機関での取引時に挿入される取引用媒体を取り扱う媒体取扱機構と、
紙幣を取り扱う紙幣取扱機構と、
該紙幣取扱機構に前記紙幣が投入される取引時に、該投入された紙幣の真偽鑑別を行うとともに、偽券の特徴を検出する鑑別部と、
該鑑別部によって、前記紙幣に偽券が含まれると鑑別されたときに、同一の特徴を有する偽券が、前記紙幣取扱機構に繰り返し投入された投入枚数を数える計数部と、
前記同一の特徴を有する偽券について、前記投入枚数が所定値以上になったときに、前記取引用媒体と、前記偽券とのうちの少なくとも一方を返却しないように、前記媒体取扱機構と、前記紙幣取扱機構とのうちの少なくとも一方を制御する制御部と、
を備える現金自動取引装置。
【請求項４】
請求項３記載の現金自動取引装置であって、さらに、
前記偽券の特徴を記憶する特徴記憶部を備える、
現金自動取引装置。
【請求項５】
請求項３記載の現金自動取引装置であって、
前記制御部は、前記投入枚数が所定値以上となったときに、前記取引用媒体と、前記偽券との双方を返却しないように、前記媒体取扱機構と、前記紙幣取扱機構とを制御する、
現金自動取引装置。
【請求項６】
現金自動取引装置であって、
金融機関での取引時に挿入される取引用媒体を取り扱う媒体取扱機構と、
紙幣を取り扱う紙幣取扱機構と、
該紙幣取扱機構に前記紙幣が投入される取引時に、該取引開始からの取引時間を計測する計測部と、
前記取引時間が所定値以上になったときに、前記取引用媒体を返却しないように、前記媒体取扱機構を制御する制御部と、
を備える現金自動取引装置。
【請求項７】
請求項６記載の現金自動取引装置であって、
前記計測部は、前記取引が行われる時刻が、所定の時間帯であるときに、前記計測を行う、
現金自動取引装置。
【請求項８】
請求項６記載の現金自動取引装置であって、さらに、
前記投入された紙幣の真偽鑑別を行う鑑別部を備え、
前記計測部または前記制御部は、前記鑑別部によって、前記紙幣が偽券であると鑑別されたときに稼働する、
現金自動取引装置。
【請求項９】
請求項１、３、６のいずれかに記載の現金自動取引装置であって、
前記制御部は、前記取引が行われる時刻が、所定の時間帯であるときに、前記制御を行う、
現金自動取引装置。
【請求項１０】
複数の現金自動取引装置と、ホストコンピュータとを、所定のネットワークを介して接続した現金自動取引システムであって、
前記現金自動取引装置は、
金融機関での取引時に挿入される取引用媒体を取り扱う媒体取扱機構と、
紙幣を取り扱う紙幣取扱機構と、
該紙幣取扱機構に前記紙幣が投入される取引時に、該投入された紙幣の真偽鑑別を行う鑑別部と、
該鑑別部によって、前記紙幣に偽券が含まれると鑑別されたときに、取引者を識別するための識別情報と、前記鑑別結果とを前記ホストコンピュータに送信する鑑別結果送信部と、
前記ホストコンピュータから、前記取引用媒体の返却を禁止する旨の指示を受信する指示受信部と、
該指示に応じて、前記取引用媒体を返却しないように、前記媒体取扱機構を制御する制御部と、を備え、
前記ホストコンピュータは、
前記複数の現金自動取引装置から、前記識別情報と、前記鑑別結果とを受信する鑑別結果受信部と、
該受信に応じて、前記識別情報ごとに、前記偽券が前記紙幣取扱機構に繰り返し投入されたのべ投入回数を数える計数部と、
該のべ投入回数が所定値以上になったときに、前記取引用媒体の返却を禁止する旨の指示を、前記現金自動取引装置に送信する指示送信部と、を備える、
現金自動取引システム。
【請求項１１】
複数の現金自動取引装置と、ホストコンピュータとを、所定のネットワークを介して接続した現金自動取引システムであって、
前記現金自動取引装置は、
金融機関での取引時に挿入される取引用媒体を取り扱う媒体取扱機構と、
紙幣を取り扱う紙幣取扱機構と、
該紙幣取扱機構に前記紙幣が投入される取引時に、該投入された紙幣の真偽鑑別を行うとともに、偽券の特徴を検出する鑑別部と、
該鑑別部によって、前記紙幣に偽券が含まれると鑑別されたときに、該偽券の特徴を前記ホストコンピュータに送信する鑑別結果送信部と、
前記ホストコンピュータから、前記取引用媒体と、前記偽券とのうちの少なくとも一方の返却を禁止する旨の指示を受信する指示受信部と、
該指示に応じて、前記取引用媒体と、前記偽券とのうちの少なくとも一方を返却しないように、前記媒体取扱機構と、前記紙幣取扱機構とのうちの少なくとも一方を制御する制御部と、を備え、
前記ホストコンピュータは、
前記複数の現金自動取引装置から、前記偽券の特徴を受信する鑑別結果受信部と、
前記受信に応じて、同一の特徴を有する偽券が前記紙幣取扱機構に投入されたのべ投入枚数を数える計数部と、
前記同一の特徴を有する偽券について、前記のべ投入枚数が所定値以上になったときに、前記取引用媒体と、前記偽券とのうちの少なくとも一方の返却を禁止する旨の指示を、前記現金自動取引装置に送信する指示送信部と、を備える、
現金自動取引システム。
【請求項１２】
請求項１１記載の現金自動取引システムであって、
前記鑑別結果送信部は、さらに、取引者を識別するための識別情報を送信し、
前記計数部は、前記識別情報ごとに、前記のべ投入枚数を数える、
現金自動取引システム。
【請求項１３】
複数の現金自動取引装置と、ホストコンピュータとを、所定のネットワークを介して接続した現金自動取引システムであって、
前記現金自動取引装置は、
金融機関での取引時に挿入される取引用媒体を取り扱う媒体取扱機構と、
紙幣を取り扱う紙幣取扱機構と、
該紙幣取扱機構に前記紙幣が投入される取引時に、該取引用が開始されてからの取引時間を計測する計測部と、
取引者を識別するための識別情報と、前記取引時間とを前記ホストコンピュータに送信する取引時間送信部と、
前記ホストコンピュータから、前記取引用媒体の返却を禁止する旨の指示を受信する指示受信部と、
該指示に応じて、前記取引用媒体を返却しないように、前記媒体取扱機構を制御する制御部と、を備え、
前記ホストコンピュータは、
前記複数の現金自動取引装置から、前記識別情報と、前記取引時間とを受信する取引時間受信部と、
該受信に応じて、前記識別情報ごとに、前記取引時間を累算する累算部と、
前記累算された取引時間が所定値以上になったときに、前記取引用媒体の返却を禁止する旨の指示を、前記現金自動取引装置に送信する指示送信部と、を備える、
現金自動取引システム。
【請求項１４】
請求項１０ないし１３のいずれかに記載の現金自動取引システムであって、
前記計数部または前記累算部は、所定の時間ごとに、前記のべ投入回数または前記のべ枚数または前記取引時間をリセットする、
現金自動取引システム。
【請求項１５】
金融機関での取引時に挿入される取引用媒体を取り扱う媒体取扱機構と、紙幣を取り扱う紙幣取扱機構とを備えた現金自動取引装置の制御方法であって、
（ａ）前記紙幣取扱機構に前記紙幣が投入される取引時に、該投入された紙幣の真偽鑑別を行う工程と、
（ｂ）該工程（ａ）によって、前記紙幣に偽券が含まれると鑑別されたときに、該偽券を含む紙幣が、前記紙幣取扱機構に繰り返し投入された投入回数を数える工程と、
（ｃ）該投入回数が所定値以上になったときに、前記取引用媒体を返却しないように、前記媒体取扱機構を制御する工程と、
を備える制御方法。
【請求項１６】
金融機関での取引時に挿入される取引用媒体を取り扱う媒体取扱機構と、紙幣を取り扱う紙幣取扱機構とを備えた現金自動取引装置の制御方法であって、
（ａ）前記紙幣取扱機構に前記紙幣が投入される取引時に、該投入された紙幣の真偽鑑別を行うとともに、偽券の特徴を検出する工程と、
（ｂ）該工程（ａ）によって、前記紙幣に偽券が含まれると鑑別されたときに、同一の特徴を有する偽券が、前記紙幣取扱機構に繰り返し投入された投入枚数を数える工程と、
（ｃ）前記同一の特徴を有する偽券について、前記投入回数が所定値以上になったときに、前記取引用媒体と、前記偽券とのうちの少なくとも一方を返却しないように、前記媒体取扱機構と、前記紙幣取扱機構とのうちの少なくとも一方を制御する工程と、
を備える制御方法。
【請求項１７】
金融機関での取引時に挿入される取引用媒体を取り扱う媒体取扱機構と、紙幣を取り扱う紙幣取扱機構とを備えた現金自動取引装置の制御方法であって、
（ａ）前記紙幣取扱機構に前記紙幣が投入される取引時に、該取引開始からの取引時間を計測する工程と、
（ｂ）前記取引時間が所定値以上になったときに、前記取引用媒体を返却しないように、前記媒体取扱機構を制御する工程と、
を備える制御方法。
【請求項１８】
金融機関での取引時に挿入される取引用媒体を取り扱う媒体取扱機構と、紙幣を取り扱う紙幣取扱機構とを備えた複数の現金自動取引装置と、ホストコンピュータとを、所定のネットワークを介して接続した現金自動取引システムの制御方法であって、
（ａ）前記現金自動取引装置で、前記紙幣取扱機構に前記紙幣が投入される取引時に、該投入された紙幣の真偽鑑別を行う工程と、
（ｂ）前記現金自動取引装置で、前記工程（ａ）によって、前記紙幣に偽券が含まれると鑑別されたときに、取引者を識別するための識別情報と、前記鑑別結果とを前記ホストコンピュータに送信する工程と、
（ｃ）前記ホストコンピュータで、前記複数の現金自動取引装置から、前記識別情報と、前記鑑別結果とを受信する工程と、
（ｄ）前記ホストコンピュータで、前記受信に応じて、前記識別情報ごとに、前記偽券が前記紙幣取扱機構に繰り返し投入されたのべ投入回数を数える工程と、
（ｅ）前記ホストコンピュータで、前記のべ投入回数が所定値以上になったときに、前記取引用媒体の返却を禁止する旨の指示を、前記現金自動取引装置に送信する工程と、
（ｆ）前記現金自動取引装置で、前記ホストコンピュータから、前記取引用媒体の返却を禁止する旨の指示を受信する工程と、
（ｇ）前記現金自動取引装置で、前記指示に応じて、前記取引用媒体を返却しないように、前記媒体取扱機構を制御する工程と、
を備える制御方法。
【請求項１９】
金融機関での取引時に挿入される取引用媒体を取り扱う媒体取扱機構と、紙幣を取り扱う紙幣取扱機構とを備えた複数の現金自動取引装置と、ホストコンピュータとを、所定のネットワークを介して接続した現金自動取引システムの制御方法であって、
（ａ）前記現金自動取引装置で、前記紙幣取扱機構に前記紙幣が投入される取引時に、該投入された紙幣の真偽鑑別を行うとともに、偽券の特徴を検出する工程と、
（ｂ）前記現金自動取引装置で、前記工程（ａ）によって、前記紙幣に偽券が含まれると鑑別されたときに、該偽券の特徴を前記ホストコンピュータに送信する工程と、
（ｃ）前記ホストコンピュータで、前記複数の現金自動取引装置から、前記偽券の特徴を受信する工程と、
（ｄ）前記ホストコンピュータで、前記受信に応じて、同一の特徴を有する偽券が前記紙幣取扱機構に投入されたのべ投入枚数を数える工程と、
（ｅ）前記ホストコンピュータで、前記同一の特徴を有する偽券について、前記のべ投入枚数が所定値以上になったときに、前記取引用媒体と、前記偽券とのうちの少なくとも一方の返却を禁止する旨の指示を、前記現金自動取引装置に送信する工程と、
（ｆ）前記現金自動取引装置で、前記ホストコンピュータから、前記取引用媒体と、前記偽券とのうちの少なくとも一方の返却を禁止する旨の指示を受信する工程と、
（ｇ）前記現金自動取引装置で、前記指示に応じて、前記取引用媒体と、前記偽券とのうちの少なくとも一方を返却しないように、前記媒体取扱機構と、前記紙幣取扱機構とのうちの少なくとも一方を制御する工程と、
を備える制御方法。
【請求項２０】
金融機関での取引時に挿入される取引用媒体を取り扱う媒体取扱機構と、紙幣を取り扱う紙幣取扱機構とを備えた複数の現金自動取引装置と、ホストコンピュータとを、所定のネットワークを介して接続した現金自動取引システムの制御方法であって、
（ａ）前記現金自動取引装置で、前記紙幣取扱機構に前記紙幣が投入される取引時に、該取引用が開始されてからの取引時間を計測する工程と、
（ｂ）前記現金自動取引装置で、取引者を識別するための識別情報と、前記取引時間とを前記ホストコンピュータに送信する工程と、
（ｃ）前記ホストコンピュータで、前記複数の現金自動取引装置から、前記識別情報と、前記取引時間とを受信する工程と、
（ｄ）前記ホストコンピュータで、前記受信に応じて、前記識別情報ごとに、前記取引時間を累算する工程と、
（ｅ）前記ホストコンピュータで、前記累算された取引時間が所定値以上になったときに、前記取引用媒体の返却を禁止する旨の指示を、前記現金自動取引装置に送信する工程と、
（ｆ）前記現金自動取引装置が、前記ホストコンピュータから、前記取引用媒体の返却を禁止する旨の指示を受信する工程と、
（ｇ）前記現金自動取引装置で、前記指示に応じて、前記取引用媒体を返却しないように、前記媒体取扱機構を制御する工程と、
を備える制御方法。
【発明の詳細な説明】
【技術分野】
【０００１】
本発明は、カードや、通帳等の取引用媒体を用いて入出金等の取引を行う現金自動取引装置の制御に関するものである。
【背景技術】
【０００２】
従来、金融機関等において、カードや、通帳等の取引用媒体を用いて入出金等の取引を行う現金自動取引装置が使用されている。この現金自動取引装置では、投入された紙幣の真偽鑑別が行われ、偽券の入金が排除される。しかし、悪意を持った取引者が偽券の入金を試みる行為自体を抑制することはできなかった。そこで、近年では、偽券の入金を試みる行為自体を抑制する技術も提案されている（下記特許文献１、２参照）。
【０００３】
例えば、特許文献１には、自動取引装置において、投入された紙幣の真偽鑑別を行い、偽券が、所定枚数以上、あるいは、所定割合以上、投入されたときに、取引時に挿入された通帳およびカードや、紙幣を返却しないようにする技術が開示されている。
【０００４】
また、特許文献２には、自動販売機に備えられる紙葉類処理装置において、投入された紙葉類の真偽鑑別を行い、偽券の投入が所定回数以上行われた場合に、紙葉類を返却しないようにする技術が開示されている。
【０００５】
【特許文献１】特開２００１−１４３１２０号公報
【特許文献２】特開平９−２９３１５６号公報
【発明の開示】
【発明が解決しようとする課題】
【０００６】
しかし、特許文献１に記載された技術では、取引者が所定枚数未満、例えば、１枚の偽券の入金を何度も繰り返し試みる行為については考慮されていなかった。したがって、現金自動取引装置に所定枚数未満の偽券が投入された場合には、通帳およびカードや、紙幣は、取引者に返却され、取引者は何度も繰り返して偽券の入金を試みることが可能だった。また、特許文献２に記載された技術では、自動販売機に備えられる紙葉類処理装置に関する技術であるため、カードや、通帳等の使用は考慮されていなかった。
【０００７】
本発明は、上述の課題を解決するためになされたものであり、カードや、通帳等の取引用媒体を用いて入出金等の取引を行う現金自動取引装置において、取引者が偽券の入金を繰り返し試みる行為を、効果的に抑制することを目的とする。
【課題を解決するための手段】
【０００８】
上述の課題の少なくとも一部を解決するため、本発明では、以下の構成を採用した。すなわち、本発明の第１の現金自動取引装置は、金融機関での取引時に挿入される取引用媒体を取り扱う媒体取扱機構と、紙幣を取り扱う紙幣取扱機構と、該紙幣取扱機構に前記紙幣が投入される取引時に、該投入された紙幣の真偽鑑別を行う鑑別部と、該鑑別部によって、前記紙幣に偽券が含まれると鑑別されたときに、該偽券を含む紙幣が、前記紙幣取扱機構に繰り返し投入された投入回数を数える計数部と、該投入回数が所定値以上になったときに、前記取引用媒体を返却しないように、前記媒体取扱機構を制御する制御部と、を備えることを要旨とする。
【０００９】
取引用媒体としては、例えば、キャッシュカードや、振り込みカードや、通帳などが挙げられる。紙幣取扱機構に紙幣が投入される取引としては、例えば、入金取引や、現金の振り込み取引が挙げられる。以下に説明する種々の発明においても同様である。偽券の投入回数についての所定値は、現金自動取引装置の管理者によって、任意に設定可能である。なお、本発明の第１の現金自動取引装置において、「投入回数」とは、投入枚数とは異なり、取引者による投入操作回数を意味する。したがって、１度に複数の偽券が投入された場合であっても、１回と数えられる。投入回数は、取引ごとにリセットしてもよいし、１日ごとや、１週間ごとなど、所定期間ごとにリセットするようにしてもよい。
【００１０】
本発明では、偽券を含む紙幣が所定回数以上繰り返し投入されたときに、取引用媒体の返却を行わない。したがって、取引者が偽券の入金を繰り返し試みる行為を、効果的に抑制することができる。
【００１１】
なお、計数部は、投入回数を、例えば、取引用媒体から取得可能な顧客情報ごとや、モニタカメラで撮像した取引者の画像データごと等、取引者ごとに、所定期間、累算するようにしてもよい。こうすることによって、取引者が偽券の入金を繰り返し試みる行為を、さらに効果的に抑制することができる。
【００１２】
上記現金自動取引装置において、前記制御部は、前記投入回数が前記所定値以上になったときに、さらに、前記偽券を返却しないように、前記紙幣取扱機構を制御するようにすることが好ましい。
【００１３】
こうすることによって、偽券を含む紙幣が所定回数以上繰り返し投入されたときに、偽券の返却も行わないので、取引者が、取引用媒体を交換しながら、偽券の入金を繰り返し試みる行為も抑制することができる。
【００１４】
本発明は、取引用媒体、紙幣の返却の制御に関し、以下のように構成することもできる。すなわち、本発明の第２の現金自動取引装置では、鑑別部は、投入された紙幣の真偽鑑別を行うとともに、偽券の特徴を検出する。計数部は、同一の特徴を有する偽券が、紙幣取扱機構に繰り返し投入された投入枚数を数える。制御部は、同一の特徴を有する偽券について、投入枚数が所定値以上になったときに、取引用媒体と、偽券とのうちの少なくとも一方を返却しないように、媒体取扱機構と、紙幣取扱機構とのうちの少なくとも一方を制御する。
【００１５】
こうすることによって、取引者が同一の特徴を有する偽券の入金を繰り返し試みる行為を、効果的に抑制することができる。
【００１６】
なお、偽券の特徴としては、例えば、画像データの特性や、磁気的特性や、光学的特性や、寸法や、表面の凹凸形状に関する特徴などが挙げられる。同一の特徴を有する偽券の投入枚数についての所定値は、現金自動取引装置の管理者によって、任意に設定可能である。投入枚数は、取引ごとにリセットしてもよいし、１日ごとや、１週間ごとなど、所定期間ごとにリセットするようにしてもよい。
【００１７】
上記現金自動取引装置において、さらに、前記偽券の特徴を記憶する特徴記憶部を備えるようにすることができる。
【００１８】
こうすることによって、同一の特徴を有する偽券の投入枚数を容易に数えることができる。
【００１９】
なお、特徴記憶部は、さらに、偽券の特徴を、例えば、取引用媒体から取得可能な顧客情報や、モニタカメラで撮像した取引者の画像データ等と関連付けて記憶するようにしてもいし、偽券の特徴のみを記憶するようにしてもよい。前者によれば、例えば、同一の取引者による同一の偽券の入金行為を抑制することができる。また、後者によれば、犯罪集団など、複数の取引者による同一の偽券の入金行為を効果的に抑制することができる。
【００２０】
本発明の第２の現金自動取引装置において、前記制御部は、前記投入枚数が所定値以上となったときに、前記取引用媒体と、前記偽券との双方を返却しないように、前記媒体取扱機構と、前記紙幣取扱機構とを制御するようにしてもよい。
【００２１】
こうすることによって、取引者が偽券の入金を繰り返し試みる行為を、さらに効果的に抑制することができる。
【００２２】
本発明は、取引用媒体、紙幣の返却の制御に関し、以下のように構成することもできる。すなわち、本発明の第３の現金自動取引装置では、先に説明した計数部の代わりに、紙幣取扱機構に紙幣が投入される取引時に、取引開始からの取引時間を計測する計測部を備える。そして、制御部は、取引時間が所定値以上になったときに、取引用媒体を返却しないように、媒体取扱機構を制御する。
【００２３】
取引時間についての所定値は、現金自動取引装置の管理者によって、任意に設定可能である。紙幣の投入を伴う取引時間が異常に長い場合には、取引者が不正な入金を試みている場合がある。したがって、所定値は、例えば、取引者が現金自動取引装置の操作に不慣れな場合に、通常要する取引時間よりも長い時間が設定される。
【００２４】
本発明では、紙幣の投入を伴う取引時間が所定値以上経過したときに、取引用媒体の返却を行わない。したがって、取引者が偽券の入金を繰り返し試みる行為を、効果的に抑制することができる。
【００２５】
なお、計測部は、取引時間を、例えば、取引用媒体から取得可能な顧客情報ごとや、モニタカメラで撮像した取引者の画像データごと等、取引者ごとに、所定期間、累算するようにしてもよい。こうすることによって、取引者が偽券の入金を繰り返し試みる行為を、さらに効果的に抑制することができる。
【００２６】
本発明の第３の現金自動取引装置において、さらに、前記投入された紙幣の真偽鑑別を行う鑑別部を備え、前記計測部または前記制御部は、前記鑑別部によって、前記紙幣が偽券であると鑑別されたときに稼働するようにすることが好ましい。
【００２７】
こうすることによって、取引者が偽券の入金を繰り返し試みる行為を、精度よく抑制することができる。
【００２８】
また、本発明の第１ないし第３の現金自動取引装置において、前記制御部は、前記取引が行われる時刻が、所定の時間帯であるときに、前記制御を行うようにすることができる。
【００２９】
また、本発明の第３の現金自動取引装置において、前記計測部は、前記取引が行われる時刻が、所定の時間帯であるときに、前記計測を行うようにしてもよい。
【００３０】
所定の時間帯は、現金自動取引装置の管理者によって、任意に設定可能である。偽券の投入行為は、例えば、深夜時間帯等、取引者が比較的少ない時間帯に行われることが多い。本発明によって、予め設定された時間帯における偽券の投入行為を効果的に抑制することができる。
【００３１】
なお、以上説明した本発明の第１ないし第３の現金自動取引装置は、現金自動取引装置単独で実現するようにしてもよいし、所定のホストコンピュータと接続し、分散処理を行うことによって実現するようにしてもよい。
【００３２】
後者の例として、複数の現金自動取引装置と、ホストコンピュータとを、ネットワークを介して接続した現金自動取引システムを構成し、先に説明した取引用媒体、紙幣の返却の制御をホストコンピュータが一元的に行うようにしてもよい。この場合、各現金自動取引装置は、返却の制御に要する情報をホストコンピュータに送信するとともに、ホストコンピュータからの指示に従って、取引用媒体や紙幣の返却、および、返却禁止などの制御を行う。
【００３３】
例えば、第１の態様として、偽券を含む紙幣の投入回数に基づいて返却を制御する場合、現金自動取引装置からは、取引者を識別するための識別情報と、真偽鑑別の鑑別結果とをホストコンピュータ３００に送信する。識別情報としては、例えば、取引用媒体から取得可能な顧客情報や、取引者の顔、指紋、虹彩、静脈パターン等の生体情報など、種々の情報を利用可能である。以下においても同様である。ホストコンピュータ３００は、各現金自動取引装置から受信した情報に基づいて、識別情報ごとに、すなわち、取引者ごとに、偽券を含む紙幣の投入のべ回数を計数することができる。この計数結果が所定値以上となったときに、取引用媒体の返却禁止指示を現金自動取引装置に送信する。
【００３４】
悪意を持った取引者は、複数の現金自動取引装置を利用して、偽券の入金を繰り返し試みる場合がある。本発明によって、先に説明した本発明の第１の現金自動取引装置と同様に、取引者が複数の現金自動取引装置を利用して偽券の入金を繰り返し試みる行為を、効果的に抑制することができる。
【００３５】
第２の態様として、同一の特徴を有する偽券の投入枚数に基づいて返却を制御する場合、現金自動取引装置からは、偽券の特徴をホストコンピュータ３００に送信する。ホストコンピュータ３００は、各現金自動取引装置から受信した情報に基づいて、偽券の特徴ごとに、偽券の投入のべ枚数を計数することができる。この計数結果が所定値以上となったときに、取引用媒体の返却禁止指示を現金自動取引装置に送信する。
【００３６】
こうすることによって、先に説明した本発明の第２の現金自動取引装置と同様に、取引者が複数の現金自動取引装置を利用して、同一の特徴を有する偽券の入金を繰り返し試みる行為を、効果的に抑制することができる。
【００３７】
上記態様において、現金自動取引装置から、偽券の特徴に加えて、取引者を識別するための識別情報を送信するようにし、ホストコンピュータでは、識別情報ごと、偽券の特徴ごとに、偽券の投入のべ枚数を数えるようにしてもよい。
【００３８】
こうすることによって、同一の取引者が同一の特徴を有する偽券を繰り返し入金する行為を抑制することができる。なお、計数部が、識別情報とは無関係に、同一の特徴を有する偽券ののべ投入枚数を数えるようにすれば、複数の取引者が、同一の特徴を有する偽券を入金する行為を抑制することができる。
【００３９】
また、第３の態様として、取引時間に基づいて返却を制御する場合、現金自動取引装置からは、取引者を識別するための識別情報と、取引時間とをホストコンピュータ３００に送信する。ホストコンピュータ３００は、各現金自動取引装置から受信した情報に基づいて、識別情報ごとに、すなわち、取引者ごとに、取引時間を累算することができる。この累算結果が所定値以上となったときに、取引用媒体の返却禁止指示を現金自動取引装置に送信する。
【００４０】
こうすることによって、先に説明した本発明の第３の現金自動取引装置と同様に、取引者が複数の現金自動取引装置を利用して偽券の入金を繰り返し試みる行為を、効果的に抑制することができる。
【００４１】
上述した本発明の第１ないし第３の現金自動取引システムにおいて、現金自動取引装置で、所定の時間ごとに、偽券ののべ投入回数またはのべ枚数または取引時間をリセットするようにすることができる。また、ホストコンピュータ３００から取引用媒体の返却禁止指示を送信した場合に、ホストコンピュータ、あるいは、現金自動取引装置から、現金自動取引システムや、現金自動取引装置の管理者に、取引用媒体の返却が禁止された旨を通知するようにしてもよい。
【００４２】
こうすることによって、現金自動取引システムの利便性を向上させることができる。
【００４３】
本発明は、上述した種々の特徴を必ずしも全て備えている必要はなく、その一部を省略したり、適宜、組み合わせたりして構成することができる。また、本発明は、上述の現金自動取引装置や、現金自動取引システムとしての構成の他、これらの制御方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００４４】
本発明をコンピュータプログラムまたはそのプログラムを記録した記録媒体等として構成する場合には、現金自動取引装置や、現金自動取引システムの動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００４５】
以下、本発明の実施の形態について、実施例に基づき以下の順序で説明する。
Ａ．第１実施例：
Ａ１．システム構成：
Ａ２．紙幣取扱装置：
Ａ３．機能ブロック：
Ａ４．入金処理：
Ｂ．第２実施例：
Ｂ１．機能ブロック：
Ｂ２．入金処理：
Ｃ．変形例：
【００４６】
Ａ．第１実施例：
Ａ１．システム構成：
図１は、本発明の第１実施例としての現金自動取引システム１０００の概略構成を示す説明図である。この現金自動取引システム１０００は、複数の現金自動取引装置（以下、ＡＴＭと呼ぶ）２００と、ホストコンピュータ３００とを、ネットワークＮＷを介して接続することによって構成されている。ＡＴＭ２００は、銀行などに設置され、利用者（取引者）の操作に応じて入出金処理等の取引を行うための装置である。
【００４７】
第１実施例の現金自動取引システム１０００は、ホストコンピュータ３００によって、利用者が繰り返し偽券を入金する行為を行ったと判断されたときに、ＡＴＭ２００に挿入されたキャッシュカードや、通帳を回収することが可能なシステムである。なお、本実施例では、ホストコンピュータ３００として、メインフレームを用いるものとしたが、サーバを用いてもよい。
【００４８】
ＡＴＭ２００は、図示するように、操作部２０３や、通帳取扱機構２０４や、カード取扱機構２０５や、明細票発行機構２０６や、紙幣取扱装置１００などを備えている。紙幣取扱装置１００は、紙幣入出金口２０７を備えている。
【００４９】
操作部２０３は、入出金取引のための情報表示および入出金のための操作入力を行うための利用者とのインタフェースである。本実施例では、タッチパネルを用いるものとしたが、ディスプレイと押しボタンスイッチなどの組み合わせで構成してもよい。
【００５０】
通帳取扱機構２０４は、通帳を取り扱い、取引に応じて、通帳に記されたマークなどの読み取りや、印字処理などを行う。通帳取扱機構２０４は、また、利用者が返却された通帳を取り忘れたときや、不正な取引を行ったときに、通帳を回収するための回収ボックスを備えている。
【００５１】
カード取扱機構２０５は、いわゆるキャッシュカードなど磁気ストライプカードに記録された情報を読み取る。カードに記録された情報には、例えば、金融機関番号、科目、利用者の口座番号などが含まれる。カード取扱機構２０５は、また、利用者が返却されたカードを取り忘れたときや、不正な取引を行ったときに、カードを回収するための回収ボックスを備えている。
【００５２】
利用者との紙幣の授受は、紙幣入出金口２０７を通じて行われる。入金時には、利用者が紙幣入出金口２０７に入れた紙幣は、ＡＴＭ２００に備えられた紙幣取扱装置１００によって、鑑別され、金種ごとに分類されて保管される。出金時には、紙幣取扱装置１００は、利用者の指示した金額分の紙幣を繰り出し、紙幣入出金口２０７から利用者に受け渡す。
【００５３】
明細票発行機構２０６は、取引に応じて、その内容を記録した明細票を発行する。
【００５４】
ＡＴＭ２００の各ユニットの動作は、制御ユニット２０２によって制御される。制御ユニット２０２は、内部にＣＰＵ、メモリを備えたマイクロコンピュータとして構成されている。制御ユニット２０２は、図中に矢印で示す通り、各ユニットと情報の授受を行い、ＡＴＭ２００全体の動作を制御する。制御ユニット２０２が、ネットワークＮＷを介して、取引に関する情報をホストコンピュータ３００に送信することにより、利用者の口座への入出金などの処理がホストコンピュータ３００側で行われる。
【００５５】
制御ユニット２０２は、また、紙幣入出金口２０７への紙幣の投入を伴う入金等の取引時に、偽券が投入された場合には、紙幣取扱装置１００での紙幣の鑑別結果をホストコンピュータ３００に送信する。ホストコンピュータ３００は、制御ユニット２０２から受信した鑑別結果に基づいて、所定の処理を行い、不正な入金と判断できる所定の条件を満たしたときに、キャッシュカードや、通帳の回収指示を、制御ユニット２０２に送信する。制御ユニット２０２は、ホストコンピュータ３００から受信した指示に従い、キャッシュカードや、通帳の回収するための制御を行う。これらの詳細については、後述する。
【００５６】
Ａ２．紙幣取扱装置：
図２は、紙幣取扱装置１００の概略構成を示す側断面図である。紙幣取扱装置１００は、入金された紙幣を、以後の出金に再利用する型、いわゆる還流型の装置である。紙幣取扱装置１００は、図示するように、上部ユニット１１０と、金庫部１５０とから構成されている。
【００５７】
金庫部１５０は、厚板の金属で覆われ、堅牢に構成されている。金庫部１５０には、出金に使用できる正常な紙幣（以下、真券と呼ぶ）を保管するための収納庫１７０、１７１と、損傷がひどい、偽券である、など取引に不適な紙幣（以下、リジェクト紙幣と呼ぶ）を保管するリジェクト庫１６０が備えられている。
【００５８】
収納庫１７０は、万円札を収納するための万円庫であり、収納庫１７１は、千円札を収納するための千円庫である。収納庫１７０、１７１およびリジェクト庫１６０には、庫内での紙幣の配列順序が混乱しないように、紙幣を整然と保持するための可動式の押板１７０Ａ、１７１Ａ、１６０Ａがそれぞれ設けられている。本実施例では、各収納庫１７０、１７１は、後から搬入された紙幣が先に搬出される構造となっている。各収納庫１７０、１７１は、先に搬入された紙幣が先に搬出される構造としてもよい。また、金庫部１５０に、さらに、五千円札を収納するための五千円庫を備えるようにしてもよい。
【００５９】
上部ユニット１１０の構造は次の通りである。入出金部１１１は、利用者との紙幣の授受を行うための空隙である。入出金部１１１の入り口には、シャッタ１１６が設けられている。このシャッタ１１６は、先に説明したＡＴＭ２００の紙幣入出金口２０７と連動して自動的に開閉する。また、入出金部１１１には、紙幣の有無を検出するためのセンサが備えられている。
【００６０】
鑑別部１２６は各紙幣について、金種、真偽を鑑別し、その結果を出力する。鑑別は、紙幣をスキャンして得られる画像データ、磁気特性、紫外線などに対する光学特性、寸法、紙幣表面の凹凸データなど種々の情報を利用して行うことができる。鑑別結果には、金種、真偽の別の他、上述した種々の情報についての偽券の特徴を表すデータ（以下、特徴データと呼ぶ）も含まれる。
【００６１】
上部ユニット１１０内には、入出金の過程で紙幣を一時的に保管するための一時保管庫１２２が用意されている。一時保管庫１２２は、搬送された順に紙幣を保管し、その逆の順序で紙幣を繰り出すことができる。本実施例では、回転ドラムの周囲に巻き付けるベルトによって紙幣を保持する機構を利用した。
【００６２】
紙幣取扱装置１００内での紙幣の搬送は、搬送部１４０によって行われる。搬送部１４０は、ローラ、ベルトなどの搬送機構を利用して、紙幣を搬送するための機構である。搬送部１４０の経路には、紙幣の搬送先を切り換えるためのゲート１４１、１４２、１４３や、複数の通過センサ１４５が設けられている。ゲート１４１は、一時保管庫１２２と入出金部１１１と間で搬送先の切り換えを行う。ゲート１４２は、搬送先をリジェクト庫１６０に切り換える。ゲート１４３は、搬送先を各収納庫１７０、１７１間で切り換える。
【００６３】
図示を省略したが、紙幣取扱装置１００の内部には制御ユニットが備えられている。制御ユニットは、内部にＣＰＵ、メモリを備えるマイクロコンピュータとして構成されており、予め用意されたプログラムに従って、紙幣取扱装置１００の動作を制御する。
【００６４】
Ａ３．機能ブロック：
図３は、第１実施例におけるＡＴＭ２００の機能ブロックを示す説明図である。図中の各機能ブロックは、制御ユニット２０２内に、それぞれソフトウェア的に構築されている。これらの機能ブロックの少なくとも一部は、ハードウェア的に構成することも可能である。
【００６５】
ＡＴＭ２００の機能ブロックは、主制御部１０１の制御下で、それぞれ次の機能を奏する。通信部１０２は、ホストコンピュータ３００との通信を制御する。通信部１０２は、例えば、ホストコンピュータ３００に、キャッシュカードや通帳から読み出した顧客情報、取引金額等の取引に関する情報や、偽券の投入があったときに、その旨や、偽券の特徴データを送信したり、ホストコンピュータ３００から、キャッシュカードや、通帳の回収指示を受信したりする。鑑別実行部１０３は、鑑別部１２６を用いて紙幣の鑑別を行う。入出金制御部１０４は、入出金時の紙幣の搬送を制御する。インタフェース制御部１０５は、操作部２０３への画面提示および利用者による操作の入力を行う。カード、通帳取扱制御部１０６は、キャッシュカードや、通帳の搬送を制御したり、キャッシュカード、通帳から、取引対象となる金融機関番号、科目、利用者の口座番号を入力し、通帳への記帳を行ったりする。
【００６６】
図４は、第１実施例におけるホストコンピュータ３００の機能ブロックを示す説明図である。図中の各機能ブロックは、それぞれソフトウェア的に構築されている。これらの機能ブロックの少なくとも一部は、ハードウェア的に構成することも可能である。
【００６７】
ホストコンピュータ３００の機能ブロックは、主制御部３０１の制御下で、それぞれ次の機能を奏する。通信部３０２は、ＡＴＭ２００との通信を制御する。通信部３０２は、例えば、ＡＴＭ２００から、取引に関する情報や、偽券の投入があった旨や、偽券の特徴データを受信したり、ＡＴＭ２００にキャッシュカードや、通帳の回収指示を送信したりする。顧客管理部３０３は、顧客の口座に関するデータを記録する顧客データベース３０４を用いて、顧客の口座番号、名前などの口座情報や、取引履歴や、預金残高などを管理する。特徴データ記憶部３０６は、ＡＴＭ２００から受信した偽券の特徴データを記憶する。不正入金枚数計数部３０５は、ＡＴＭ２００から偽券の投入があった旨、および、偽券の特徴データを受信したときに、特徴データ記憶部３０６を参照しつつ、口座情報ごと、特徴データごとに、偽券の投入枚数を数える。この偽券の投入枚数は、リセットされるまで、累算して顧客データベース３０４に記録される。本実施例では、偽券の投入枚数を、正常な入金取引ごとにリセットするものとした。偽券の投入枚数は、１日ごと、１週間ごとなど、他のタイミングでリセットするようにしてもよい。
【００６８】
Ａ４．入金処理：
図５は、ＡＴＭ２００における入金処理の流れを示すフローチャートである。利用者が「預け入れ」、「現金での振り込み」など、入金を伴う取引を選択した時に、制御ユニット２０２が実行する処理である。本実施例では、キャッシュカードを用いて取引が実行される場合について説明する。通帳を用いて取引を行う場合もほぼ同様である。また、後に説明する第２実施例、および、変形例においても同様である。
【００６９】
利用者によって、カード取扱機構２０５にキャッシュカードが挿入され、操作部２０３の操作により暗証番号が入力されると（ステップＳ１００）、制御ユニット２０２は、キャッシュカードから口座情報等を読み出し、ホストコンピュータ３００に送信する（ステップＳ１１０）。次に、利用者によって、入出金部１１１に紙幣が投入されると（ステップＳ１１５）、制御ユニット２０２は、入出金部１１１から紙幣を順次繰り出し、鑑別部１２６で紙幣の金種や、真偽の鑑別を行う（ステップＳ１２０）。このとき、制御ユニット２０２は、投入された紙幣に偽券が含まれていた場合には、各偽券の特徴データを一時的に記憶する。また、真券は、一時保管庫１２２で保管され、偽券は、入出金部１１１に返却される。
【００７０】
ステップＳ１２０の真偽鑑別によって、投入された紙幣に偽券が含まれていない場合には（ステップＳ１３０：ＮＯ）、制御ユニット２０２は、ホストコンピュータ３００と通信を行い、通常取引を実行し（ステップＳ１４０）、紙幣を一時保管庫１２２から各収納庫１７０、１７１に収納する。制御ユニット２０２は、通常取引終了後、キャッシュカードを排出して（ステップＳ１４５）、入金処理を終了する。
【００７１】
ステップＳ１２０の真偽鑑別によって、投入された紙幣に偽券が含まれる場合には（ステップＳ１３０：ＹＥＳ）、制御ユニット２０２は、シャッタ１１６を開けて、偽券を利用者に返却し（ステップＳ１５０）、偽券が投入された旨、および、偽券の特徴データを、ホストコンピュータ３００に送信する（ステップＳ１６０）。ホストコンピュータ３００では、後述するように、口座情報ごと、特徴データごとに、偽券の投入枚数を数え、その累計が所定枚数以上になったときには、制御ユニット２０２にカード回収指示を送信する。
【００７２】
次に、制御ユニット２０２は、ホストコンピュータ３００からカード回収指示を受信した場合には（ステップＳ１７０：ＹＥＳ）、キャッシュカードを回収ボックスに回収し（ステップＳ１８０）、係員に連絡するよう、ディスプレイにガイダンスを表示して（ステップＳ１８５）、入金処理を終了する。
【００７３】
ホストコンピュータ３００からカード回収指示を受信しない場合には（ステップＳ１７０：ＮＯ）、制御ユニット２０２は、利用者が引き続き入金取引を行うか否かを選択するための選択画面をディスプレイに表示する。そして、利用者によって、引き続き入金取引を行うことが選択された場合には（ステップＳ１９０：ＹＥＳ）、ステップＳ１１５に戻り、先に説明した処理を行う。一方、利用者によって入金取引の終了が選択された場合には（ステップＳ１９０：ＮＯ）、制御ユニット２０２は、キャッシュカードを排出して（ステップＳ１９５）、入金取引を終了する。
【００７４】
図６は、ホストコンピュータ３００における入金処理の流れを示すフローチャートである。
【００７５】
ホストコンピュータ３００は、複数のＡＴＭ２００のうちのいずれかのＡＴＭ２００の制御ユニット２０２から口座情報を受信するまで待機している（ステップＳ２００：ＮＯ）。ホストコンピュータ３００は、いずれかのＡＴＭ２００の制御ユニット２０２から口座情報を受信すると（ステップＳ２００：ＹＥＳ）、その制御ユニット２０２と通信を行い、通常取引が終了するか、偽券が投入された旨、および、偽券の特徴データを受信するか、ＡＴＭ２００側で入金取引が中止されるまで待機する（ステップＳ２１０：ＮＯ，ステップＳ２２０：ＮＯ，ステップＳ２７０：ＮＯ）。通常取引が終了すると（ステップＳ２１０：ＹＥＳ）、ホストコンピュータ３００は、口座情報ごと、偽券の特徴データごとの偽券の投入枚数Ｃ１をリセットし（ステップＳ２１５）、入金処理を終了する。
【００７６】
通常取引が終了しないまま、偽券が投入された旨、および、偽券の特徴データを受信した場合には（ステップＳ２２０：ＹＥＳ）、特徴データ記憶部３０６に特徴データを口座情報と関連付けて保存し（ステップＳ２３０）、処理中に口座情報について、既に同じ特徴を有する偽券が投入されていたか否かを判断する（ステップＳ２４０）。既に同じ特徴を有する偽券が投入されていた場合には（ステップＳ２４０：ＹＥＳ）、その偽券について、投入枚数Ｃ１を累算し（ステップＳ２４５）、投入枚数Ｃ１が閾値Ｃ１ｓ以上であるか否かを判断する（ステップＳ２５０）。投入枚数Ｃ１が閾値Ｃ１ｓ以上である場合には、制御ユニット２０２にカード回収指示を送信し（ステップＳ２６０）、入金処理を終了する。この場合、投入枚数Ｃ１は、管理者によってリセットされる。閾値Ｃ１ｓは、管理者によって、任意に設定可能である。
【００７７】
通常取引が終了しないまま、ＡＴＭ２００側で入金取引が中止された場合には（ステップＳ２１０：ＮＯ，ステップＳ２２０：ＮＯ，ステップＳ２７０：ＹＥＳ）、ステップＳ２００に戻り、制御ユニット２０２から口座情報を受信するまで待機する。
【００７８】
ステップＳ２４０において、まだ同じ特徴を有する偽券が投入されていなかった場合（ステップＳ２４０：ＮＯ）、および、ステップＳ２５０において、投入枚数Ｃ１が閾値Ｃ１ｓ未満である場合には（ステップＳ２５０：ＮＯ）、ステップＳ２７０に進み、ＡＴＭ２００側で入金取引が中止されたか否かを判断する。入金処理が中止された場合には（ステップＳ２７０：ＹＥＳ）、ステップＳ２００に戻り、中止されない場合には（ステップＳ２７０：ＮＯ）、ステップＳ２１０に戻る。
【００７９】
以上説明した第１実施例の現金自動取引システム１０００によれば、同一の特徴を有する偽券が所定枚数（閾値Ｃ１ｓ）以上投入されたときに、キャッシュカードの返却を行わない。したがって、利用者が複数のＡＴＭ２００を利用して、同一の特徴を有する偽券の入金を繰り返し試みる行為を、効果的に抑制することができる。
【００８０】
Ｂ．第２実施例：
第２実施例の現金自動取引システムの概略構成は、第１実施例の現金自動取引システム１０００と同様に、複数のＡＴＭと、ホストコンピュータとを、ネットワークＮＷを介して接続することによって構成されている。ただし、第２実施例の現金自動取引システムのＡＴＭおよびホストコンピュータの機能ブロックの一部が、第１実施例と異なる。
【００８１】
第２実施例の現金自動取引システムは、利用者が極端に長い時間、紙幣の投入を伴う取引を行ったときに、不正の疑いがあるとして、キャッシュカードや、通帳を回収することが可能なシステムである。
【００８２】
Ｂ１．機能ブロック：
図７は、第２実施例におけるＡＴＭ２００Ａの機能ブロックを示す説明図である。第１実施例におけるＡＴＭ２００とほぼ同じ機能を奏するものには、同一の符号を付し、説明は省略する。後に説明する変形例においても同様である。
【００８３】
取引時間計測部１０７は、入金処理時に、入出金部１１１に紙幣が投入され、取引が終了するまで、あるいは、真偽鑑別により偽券が含まれていたため紙幣が返却されるまでの取引時間を計測する。通信部１０２は、第１実施例における偽券の特徴データの代わりに、取引時間計測部１０７によって計測された取引時間を送信する。
【００８４】
図８は、第２実施例におけるホストコンピュータ３００Ａの機能ブロックを示す説明図である。第１実施例におけるホストコンピュータ３００とほぼ同じ機能を奏するものには、同一の符号を付し、説明は省略する。
【００８５】
通信部３０２は、第１実施例における偽券の特徴データの代わりに、取引時間を受信する。取引時間累算部３０７は、口座情報ごとに、取引時間を累算する。累算された取引時間は、リセットされるまで、顧客データベース３０４に記録される。本実施例では、取引時間を、正常な入金取引ごとにリセットするものとした。取引時間を１日ごと、１週間ごとなど、他のタイミングでリセットするようにしてもよい。
【００８６】
Ｂ２．入金処理：
図９は、ＡＴＭ２００Ａにおける入金処理の流れを示すフローチャートである。利用者が「預け入れ」、「現金での振り込み」など、入金を伴う取引を選択した時に、制御ユニット２０２が実行する処理である。
【００８７】
利用者によって、カード取扱機構２０５にキャッシュカードが挿入され、操作部２０３の操作により暗証番号が入力されると（ステップＳ３００）、制御ユニット２０２は、キャッシュカードから口座情報等を読み出し、ホストコンピュータ３００に送信する（ステップＳ３１０）。次に、利用者によって、入出金部１１１に紙幣が投入されると（ステップＳ３１５）、制御ユニット２０２は、取引時間の計測を開始するとともに、入出金部１１１から紙幣を順次繰り出し、鑑別部１２６で紙幣の金種や、真偽の鑑別を行う（ステップＳ３２０）。このとき、真券は、一時保管庫１２２で保管され、偽券は、入出金部１１１に返却される。
【００８８】
ステップＳ３２０の真偽鑑別によって、投入された紙幣に偽券が含まれていない場合には（ステップＳ３３０：ＮＯ）、制御ユニット２０２は、ホストコンピュータ３００と通信を行い、通常取引を実行し（ステップＳ３４０）、紙幣を一時保管庫１２２から各収納庫１７０、１７１に収納する。そして、制御ユニット２０２は、通常取引終了後、取引時間Ｔをリセットし（ステップＳ３４２）、キャッシュカードを排出して（ステップＳ３４４）、入金処理を終了する。
【００８９】
ステップＳ３２０の真偽鑑別によって、投入された紙幣に偽券が含まれる場合には（ステップＳ３３０：ＹＥＳ）、制御ユニット２０２は、シャッタ１１６を開けて、偽券を利用者に返却し（ステップＳ３５０）、取引時間Ｔの計測を終了し、偽券が投入された旨、および、取引の取引時間Ｔを、ホストコンピュータ３００に送信する（ステップＳ３６０）。ホストコンピュータ３００では、後述するように、口座情報ごとに、取引時間Ｔを累算し、所定値以上になったときには、制御ユニット２０２にカード回収指示を送信する。
【００９０】
次に、制御ユニット２０２は、ホストコンピュータ３００からカード回収指示を受信した場合には（ステップＳ３７０：ＹＥＳ）、キャッシュカードを回収ボックスに回収し（ステップＳ３８０）、係員に連絡するよう、ディスプレイにガイダンスを表示して（ステップＳ３８５）、入金処理を終了する。
【００９１】
ホストコンピュータ３００からカード回収指示を受信しない場合には（ステップＳ３７０：ＮＯ）、制御ユニット２０２は、利用者が引き続き入金取引を行うか否かを選択するための選択画面をディスプレイに表示する。そして、利用者によって、引き続き入金取引を行うことが選択された場合には（ステップＳ３９０：ＹＥＳ）、ステップＳ３１５に戻り、先に説明した処理を行う。一方、利用者によって入金取引の終了が選択された場合には（ステップＳ３９０：ＮＯ）、制御ユニット２０２は、取引時間Ｔをリセットし（ステップＳ３９２）、キャッシュカードを排出して（ステップＳ３９４）、入金取引を終了する。
【００９２】
図１０は、ホストコンピュータ３００Ａにおける入金処理の流れを示すフローチャートである。
【００９３】
ホストコンピュータ３００Ａは、複数のＡＴＭ２００ＡのうちのいずれかのＡＴＭ２００Ａの制御ユニット２０２から口座情報を受信するまで待機している（ステップＳ４００：ＮＯ）。ホストコンピュータ３００Ａは、いずれかのＡＴＭ２００Ａの制御ユニット２０２から口座情報を受信すると（ステップＳ４００：ＹＥＳ）、その制御ユニット２０２と通信を行い、通常取引が終了するか、偽券が投入された旨、および、取引時間を受信するか、ＡＴＭ２００Ａ側で入金取引が中止されるまで待機する（ステップＳ４１０：ＮＯ，ステップＳ４２０：ＮＯ，ステップＳ４７０：ＮＯ）。通常取引が終了すると（ステップＳ４１０：ＹＥＳ）、ホストコンピュータ３００は、口座情報ごとの取引時間Ｔをリセットし（ステップＳ４１５）、入金処理を終了する。
【００９４】
通常取引が終了しないまま、偽券が投入された旨、および、取引時間Ｔを受信した場合には（ステップＳ４２０：ＹＥＳ）、取引時間Ｔを口座情報と関連付けて保存し（ステップＳ４３０）、その口座情報が、既に取引時間Ｔが保存されている口座情報と同一であるか否かを判断する（ステップＳ４４０）。同一の口座情報について、取引時間Ｔが保存されていた場合には（ステップＳ４４０：ＹＥＳ）、その口座情報について、取引時間Ｔを累算し（ステップＳ４４５）、累算された取引時間Ｔが閾値Ｔｓ以上であるか否かを判断する（ステップＳ４５０）。取引時間Ｔが閾値Ｔｓ以上である場合には、制御ユニット２０２にカード回収指示を送信し（ステップＳ４６０）、入金処理を終了する。この場合、取引時間Ｔは、管理者によってリセットされる。
【００９５】
閾値Ｔｓは、管理者によって、任意に設定可能である。紙幣の投入を伴う取引時間が異常に長い場合には、利用者が不正な入金を試みている場合がある。したがって、閾値Ｔｓは、例えば、利用者がＡＴＭ２００Ａの操作に不慣れな場合に、通常要する取引時間よりも長い時間が設定されている。
【００９６】
通常取引が終了しないまま、ＡＴＭ２００Ａ側で入金取引が中止された場合には（ステップＳ４１０：ＮＯ，ステップＳ４２０：ＮＯ，ステップＳ４７０：ＹＥＳ）、ステップＳ４００に戻り、制御ユニット２０２から口座情報を受信するまで待機する。
【００９７】
ステップＳ４４０において、同一の口座情報が保存されていなかった場合（ステップＳ４４０：ＮＯ）、および、ステップＳ４５０において、取引時間Ｔが閾値Ｔｓ未満である場合には（ステップＳ４５０：ＮＯ）、ステップＳ４７０に進み、ＡＴＭ２００Ａ側で入金取引が中止されたか否かを判断する。入金処理が中止された場合には（ステップＳ４７０：ＹＥＳ）、ステップＳ４００に戻り、中止されない場合には（ステップＳ４７０：ＮＯ）、ステップＳ４１０に戻る。
【００９８】
以上説明した第２実施例の現金自動取引システムによれば、取引時間が所定値（閾値Ｔｓ）以上行われたときに、不正な入金の疑いがあるとして、キャッシュカードの返却を行わない。したがって、利用者が複数のＡＴＭ２００Ａを利用して、偽券の入金を繰り返し試みる行為を、効果的に抑制することができる。
【００９９】
Ｃ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形例が可能である。
【０１００】
Ｃ１．変形例１：
上記第１および第２実施例では、複数のＡＴＭとホストコンピュータとが連係して、利用者が偽券の入金を繰り返し試みる行為を抑制することが可能な入金処理を行うものとしたが、ＡＴＭ単独で行うものとしてもよい。
【０１０１】
図１１は、第１変形例におけるＡＴＭ２００Ｂの機能ブロックを示す説明図である。不正入金回数計数部１０８は、鑑別部１２６によって、入出金部１１１に投入された紙幣に偽券が含まれていたと判断されたときに、口座情報ごとに、偽券の投入回数を数える。この偽券の投入回数は、入出金部１１１に、１度に複数の偽券が投入された場合であっても、１回と数えられる。本実施例では、偽券の投入回数を、正常な入金取引ごとにリセットするものとした。偽券の投入回数は、１日ごと、１週間ごとなど、他のタイミングでリセットするようにしてもよい。
【０１０２】
図１２は、第１変形例における入金処理の流れを示すフローチャートである。
【０１０３】
利用者によって、カード取扱機構２０５にキャッシュカードが挿入され、操作部２０３の操作により暗証番号が入力されると（ステップＳ５００）、制御ユニット２０２は、キャッシュカードから口座情報等を読み出し、ホストコンピュータ３００Ｂに送信する。次に、利用者によって、入出金部１１１に紙幣が投入されると（ステップＳ５１０）、制御ユニット２０２は、入出金部１１１から紙幣を順次繰り出し、鑑別部１２６で紙幣の金種や、真偽の鑑別を行う（ステップＳ５２０）。
【０１０４】
ステップＳ５２０の真偽鑑別によって、投入された紙幣に偽券が含まれていない場合には（ステップＳ５３０：ＮＯ）、制御ユニット２０２は、累算された偽券の投入回数Ｃ２をリセットし（ステップＳ５３５）、ホストコンピュータ３００Ｂと通信を行い、通常取引を実行する（ステップＳ５４０）。そして、通常取引終了後、キャッシュカードを排出して（ステップＳ５４５）、入金処理を終了する。
【０１０５】
ステップＳ５２０の真偽鑑別によって、投入された紙幣に偽券が含まれる場合には（ステップＳ５３０：ＹＥＳ）、制御ユニット２０２は、シャッタ１１６を開けて、偽券を利用者に返却し（ステップＳ５５０）、不正入金回数計数部１０８によって、処理中の口座情報について、偽券の投入回数Ｃ２を累算し（ステップＳ５５５）、投入回数Ｃ２が閾値Ｃ２ｓ以上であるか否かを判断する（ステップＳ５６０）。閾値Ｃ２ｓは、管理者によって、任意に設定可能である。
【０１０６】
投入回数Ｃ２が閾値Ｃ２ｓ以上である場合には（ステップＳ５６０：ＹＥＳ）、キャッシュカードを回収ボックスに回収し（ステップＳ５７０）、係員に連絡するよう、ディスプレイにガイダンスを表示して（ステップＳ５７５）、入金処理を終了する。この場合、投入回数Ｃ２は、係員によってリセットされる。
【０１０７】
投入回数Ｃ２が閾値Ｃ２ｓ未満である場合には（ステップＳ５６０：ＮＯ）、制御ユニット２０２は、利用者が引き続き入金取引を行うか否かを選択するための選択画面をディスプレイに表示する。そして、利用者によって、引き続き入金取引を行うことが選択された場合には（ステップＳ５８０：ＹＥＳ）、ステップＳ５１０に戻り、先に説明した処理を行う。一方、利用者によって入金取引の終了が選択された場合には（ステップＳ５８０：ＮＯ）、制御ユニット２０２は、偽券の投入回数Ｃ２をリセットし（ステップＳ５８５）、キャッシュカードを排出して（ステップＳ５９０）、入金取引を終了する。
【０１０８】
以上説明した第１変形例のＡＴＭ２００Ｂによれば、偽券が所定回数（閾値Ｃ２ｓ）以上投入されたときに、キャッシュカードの返却を行わない。したがって、利用者が偽券の入金を繰り返し試みる行為を、効果的に抑制することができる。
【０１０９】
なお、第１変形例のＡＴＭ２００Ｂでの入金処理の一部は、上述した第１および第２実施例と同様に、ホストコンピュータで行うようにしてもよい。
【０１１０】
Ｃ２．変形例２：
第２変形例では、上述した第１実施例の入金処理を、ホストコンピュータ３００Ｂと連係せずに、ＡＴＭ２００Ｃ単独で行う場合について説明する。
【０１１１】
図１３は、第２変形例におけるＡＴＭ２００Ｃの機能ブロックを示す説明図である。不正入金枚数計数部１０８ａは、第１実施例におけるホストコンピュータ３００の不正入金枚数計数部３０５と同様の機能を有している。また、特徴データ記憶部１０８ｂは、第１実施例におけるホストコンピュータ３００の特徴データ記憶部３０６と同様の機能を有している。
【０１１２】
図１４は、第２変形例における入金処理の流れを示すフローチャートである。
【０１１３】
利用者によって、カード取扱機構２０５にキャッシュカードが挿入され、操作部２０３の操作により暗証番号が入力されると（ステップＳ６００）、制御ユニット２０２は、キャッシュカードから口座情報等を読み出し、ホストコンピュータ３００Ｂに送信する。次に、利用者によって、入出金部１１１に紙幣が投入されると（ステップＳ６１０）、制御ユニット２０２は、入出金部１１１から紙幣を順次繰り出し、鑑別部１２６で紙幣の金種や、真偽の鑑別を行う（ステップＳ６２０）。このとき、制御ユニット２０２は、投入された紙幣に偽券が含まれていた場合には、各偽券の特徴データを記憶する。
【０１１４】
ステップＳ６２０の真偽鑑別によって、投入された紙幣に偽券が含まれていない場合には（ステップＳ６３０：ＮＯ）、制御ユニット２０２は、累算された偽券の投入枚数Ｃ１をリセットし（ステップＳ６３２）、ホストコンピュータ３００Ｂと通信を行い、通常取引を実行する（ステップＳ６３４）。そして、通常取引終了後、キャッシュカードを排出して（ステップＳ６３６）、入金処理を終了する。
【０１１５】
ステップＳ６２０の真偽鑑別によって、投入された紙幣に偽券が含まれる場合には（ステップＳ６３０：ＹＥＳ）、制御ユニット２０２は、取引中の口座情報について、取得した偽券の特徴データを保存し（ステップＳ６４０）、シャッタ１１６を開けて、偽券を利用者に返却する（ステップＳ１５０）。そして、既に同じ特徴を有する偽券が投入されていたか否かを判断する（ステップＳ６５２）。既に同じ特徴を有する偽券が投入されていた場合には（ステップＳ６５２：ＹＥＳ）、その偽券について、投入枚数Ｃ１を累算し（ステップＳ６５４）、投入枚数Ｃ１が閾値Ｃ１ｓ以上であるか否かを判断する（ステップＳ６６０）。
【０１１６】
投入枚数Ｃ１が閾値Ｃ１ｓ以上である場合には（ステップＳ６６０：ＹＥＳ）、キャッシュカードを回収ボックスに回収し（ステップＳ６７０）、係員に連絡するよう、ディスプレイにガイダンスを表示して（ステップＳ６７５）、入金処理を終了する。この場合、投入枚数Ｃ１は、係員によってリセットされる。
【０１１７】
投入枚数Ｃ１が閾値Ｃ１ｓ未満である場合には（ステップＳ６６０：ＮＯ）、制御ユニット２０２は、利用者が引き続き入金取引を行うか否かを選択するための選択画面をディスプレイに表示する。そして、利用者によって、引き続き入金取引を行うことが選択された場合には（ステップＳ６８０：ＹＥＳ）、ステップＳ６１０に戻り、先に説明した処理を行う。一方、利用者によって入金取引の終了が選択された場合には（ステップＳ６８０：ＮＯ）、制御ユニット２０２は、偽券の投入枚数Ｃ１をリセットし（ステップＳ６８５）、カードを排出して（ステップＳ６９０）、入金取引を終了する。
【０１１８】
以上説明した第２変形例のＡＴＭ２００Ｃによれば、第１実施例の現金自動取引システム１０００と同様に、同一の特徴を有する偽券が所定枚数（閾値Ｃ１ｓ）以上投入されたときに、キャッシュカードの返却を行わない。したがって、利用者が同一の特徴を有する偽券の入金を繰り返し試みる行為を、効果的に抑制することができる。
【０１１９】
Ｃ３．変形例３：
第３変形例では、上述した第２実施例における入金処理を、ホストコンピュータ３００Ｂと連係せずに、ＡＴＭ２００Ｄ単独で行う場合について説明する。
【０１２０】
図１５は、第３変形例におけるＡＴＭ２００Ｄの機能ブロックを示す説明図である。取引時間計測部１０８ｃは、口座情報ごとに、取引時間を累算する。
【０１２１】
図１６は、第３変形例における入金処理の流れを示すフローチャートである。
【０１２２】
利用者によって、カード取扱機構２０５にキャッシュカードが挿入され、操作部２０３の操作により暗証番号が入力されると（ステップＳ７００）、制御ユニット２０２は、キャッシュカードから口座情報等を読み出し、ホストコンピュータ３００Ｂに送信する。次に、利用者によって、入出金部１１１に紙幣が投入されると（ステップＳ７１０）、制御ユニット２０２は、取引時間Ｔの計測を開始するとともに、入出金部１１１から紙幣を順次繰り出し、鑑別部１２６で紙幣の金種や、真偽の鑑別を行う（ステップＳ７２０）。
【０１２３】
ステップＳ７２０の真偽鑑別によって、投入された紙幣に偽券が含まれていない場合には（ステップＳ７３０：ＮＯ）、制御ユニット２０２は、ホストコンピュータ３００Ｂと通信を行い、通常取引を実行する（ステップＳ７４０）。そして、通常取引終了後、取引時間Ｔをリセットし（ステップＳ７４２）、キャッシュカードを排出して（ステップＳ７４４）、入金処理を終了する。
【０１２４】
ステップＳ７２０の真偽鑑別によって、投入された紙幣に偽券が含まれる場合には（ステップＳ７３０：ＹＥＳ）、制御ユニット２０２は、シャッタ１１６を開けて、偽券を利用者に返却し（ステップＳ７５０）、取引時間Ｔの計測を終了し、取引時間Ｔが閾値Ｔｓ以上であるか否かを判断する（ステップＳ７６０）。
【０１２５】
取引時間Ｔが閾値Ｔｓ以上である場合には（ステップＳ７６０：ＹＥＳ）、キャッシュカードを回収ボックスに回収し（ステップＳ７７０）、係員に連絡するよう、ディスプレイにガイダンスを表示して（ステップＳ７７５）、入金処理を終了する。この場合、取引時間Ｔは、係員によってリセットされる。
【０１２６】
投入枚数Ｃ１が閾値Ｃ１ｓ未満である場合には（ステップＳ７６０：ＮＯ）、制御ユニット２０２は、利用者が引き続き入金取引を行うか否かを選択するための選択画面をディスプレイに表示する。そして、利用者によって、引き続き入金取引を行うことが選択された場合には（ステップＳ７８０：ＹＥＳ）、ステップＳ７１０に戻り、先に説明した処理を行う。一方、利用者によって入金取引の終了が選択された場合には（ステップＳ７８０：ＮＯ）、制御ユニット２０２は、取引時間Ｔをリセットし（ステップＳ７８５）、カードを排出して（ステップＳ７９０）、入金取引を終了する。
【０１２７】
以上説明した第３変形例のＡＴＭ２００Ｄによれば、第２実施例の現金自動取引システムと同様に、取引時間が所定値（閾値Ｔｓ）以上行われたときに、キャッシュカードの返却を行わない。したがって、利用者が偽券の入金を繰り返し試みる行為を、効果的に抑制することができる。
【０１２８】
Ｃ４．変形例４：
上記第１実施例では、入金処理において、口座情報ごと、偽券の特徴データごとに、偽券の投入枚数Ｃ１を数えるものとしたが、口座情報とは無関係に、偽券の特徴データごとに数えるものとしてもよい。こうすることによって、犯罪集団など、複数の利用者による同一の偽券の入金行為を効果的に抑制することができる。
【０１２９】
Ｃ５．変形例５：
上記実施例、および、変形例では、入金処理において、口座情報ごとに、偽券の投入枚数Ｃ１や、投入回数Ｃ２や、取引時間Ｔを累算するものとしたが、これに限られない。口座情報の代わりに、例えば、利用者の顔、指紋、虹彩、静脈パターン等の生体情報など、ＡＴＭの利用者を識別可能な他の識別情報ごとに、偽券の投入枚数Ｃ１や、投入回数Ｃ２や、取引時間Ｔを累算するようにしてもよい。
【０１３０】
Ｃ６．変形例６：
上記実施例、および、変形例では、入金処理において、偽券の投入枚数Ｃ１や、投入回数Ｃ２や、取引時間Ｔが所定値以上となったときに、キャッシュカードを回収するものとしたが、さらに、偽券も回収するようにしてもよい。こうすることによって、利用者が、キャッシュカードを交換しながら、偽券の入金を繰り返し試みる行為も抑制することができる。
【０１３１】
Ｃ７．変形例７：
偽券の投入行為は、例えば、深夜時間帯等、利用者が比較的少ない時間帯に行われることが多いから、上記実施例、および、変形例における入金処理は、管理者によって任意に設定される所定の時間帯に行うものとしてもよい。こうすることによって、予め設定された時間帯における偽券の投入行為を効果的に抑制することができる。
【図面の簡単な説明】
【０１３２】
【図１】本発明の第１実施例としての現金自動取引システム１０００の概略構成を示す説明図である。
【図２】紙幣取扱装置１００の概略構成を示す側断面図である。
【図３】第１実施例におけるＡＴＭ２００の機能ブロックを示す説明図である。
【図４】第１実施例におけるホストコンピュータ３００の機能ブロックを示す説明図である。
【図５】ＡＴＭ２００における入金処理の流れを示すフローチャートである。
【図６】ホストコンピュータ３００における入金処理の流れを示すフローチャートである。
【図７】第２実施例におけるＡＴＭ２００Ａの機能ブロックを示す説明図である。
【図８】第２実施例におけるホストコンピュータ３００Ａの機能ブロックを示す説明図である。
【図９】ＡＴＭ２００Ａにおける入金処理の流れを示すフローチャートである。
【図１０】ホストコンピュータ３００Ａにおける入金処理の流れを示すフローチャートである。
【図１１】第１変形例におけるＡＴＭ２００Ｂの機能ブロックを示す説明図である。
【図１２】第１変形例における入金処理の流れを示すフローチャートである。
【図１３】第２変形例におけるＡＴＭ２００Ｃの機能ブロックを示す説明図である。
【図１４】第２変形例における入金処理の流れを示すフローチャートである。
【図１５】第３変形例におけるＡＴＭ２００Ｄの機能ブロックを示す説明図である。
【図１６】第３変形例における入金処理の流れを示すフローチャートである。
【符号の説明】
【０１３３】
１０００...現金自動取引システム
１００...紙幣取扱装置
１０１...主制御部
１０２...通信部
１０３...鑑別実行部
１０４...入出金制御部
１０５...インタフェース制御部
１０６...通帳取扱制御部
１０７...取引時間計測部
１０８...不正入金回数計数部
１０８ａ...不正入金枚数計数部
１０８ｂ...特徴データ記憶部
１０８ｃ...取引時間計測部
１１０...上部ユニット
１１１...入出金部
１１６...シャッタ
１２２...一時保管庫
１２６...鑑別部
１４０...搬送部
１４１、１４２、１４３...ゲート
１４５...通過センサ
１５０...金庫部
１６０...リジェクト庫
１７０、１７１...収納庫
１６０Ａ、１７０Ａ、１７１Ａ...押板
２００、２００Ａ、２００Ｂ、２００Ｃ、２００Ｄ...現金自動取引装置（ＡＴＭ）
２０２...制御ユニット
２０３...操作部
２０４...通帳取扱機構
２０５...カード取扱機構
２０６...明細票発行機構
２０７...紙幣入出金口
３００、３００Ａ、３００Ｂ...ホストコンピュータ
３０１...主制御部
３０２...通信部
３０３...顧客管理部
３０４...顧客データベース
３０５...不正入金枚数計数部
３０６...特徴データ記憶部
３０７...取引時間累算部
【図１】
2005234618.tif 000003
【図２】
2005234618.tif 000004
【図３】
2005234618.tif 000005
【図４】
2005234618.tif 000006
【図５】
2005234618.tif 000007
【図６】
2005234618.tif 000008
【図７】
2005234618.tif 000009
【図８】
2005234618.tif 000010
【図９】
2005234618.tif 000011
【図１０】
2005234618.tif 000012
【図１１】
2005234618.tif 000013
【図１２】
2005234618.tif 000014
【図１３】
2005234618.tif 000015
【図１４】
2005234618.tif 000016
【図１５】
2005234618.tif 000017
【図１６】
2005234618.tif 000018